(57)【要約】【課題】電池やメモリーカードなどの内蔵物を携帯機器から外れにくくし、かつ内蔵物を覆うカバーにがたつきが生じないという携帯機器を提供する。【解決手段】携帯機器が、ケース６、７と、ケース６、７に設けられ内蔵物５を収容する中空の収容部と、ケース６、７に対し第１の方向にスライドすることにより収容部を覆い、第１の方向の反対方向である第２の方向にスライドすることにより収容部を開放するカバー１とで構成されており、カバー１の収容部側の面には、収容部内の内蔵物５の第１の方向における後端面に当接可能な突起２が設けられている。【選択図】図７
2010068300.tif 000002
【特許請求の範囲】
【請求項１】
ケースと、前記ケースに設けられ内蔵物を収容する中空の収容部と、前記ケースに対し第１の方向にスライドすることにより前記収容部を覆い、前記第１の方向の反対方向である第２の方向にスライドすることにより前記収容部を開放するカバーとで構成されており、前記カバーの前記収容部側の面には、前記収容部内の内蔵物の前記第１の方向における後端面に当接可能な突起が設けられている、携帯機器。
【請求項２】
前記カバーが前記第１の方向にスライドして閉じた状態で、前記カバーの前記突起が前記第２の方向に向かって湾曲しながら、前記収容部内の前記内蔵物の前記第１の方向における後端面に圧接する、請求項１に記載の携帯機器。
【請求項３】
前記突起は、前記カバーの前記収容部側の面の、前記収容部内の前記内容物の直上の位置から立設している、請求項２に記載の携帯機器。
【請求項４】
前記突起は前記カバーの前記収容部側の面の、前記収容部内の前記内蔵物の直上よりも前記第１の方向における後方の位置から立設しており、該突起はＪ字型に屈曲してその先端部が、前記収容部内の前記内蔵物の前記第１の方向における後端面に圧接する、請求項１に記載の携帯機器。
【請求項５】
前記収容部には、前記収容部内の前記内蔵物の前記第１の方向における前端面に設けられた内蔵物側端子と接触する機器側端子が設けられている、請求項１から４のいずれか１項に記載の携帯機器。
【請求項６】
前記収容部は、前記内蔵物として電池を収容する電池収容部である、請求項１から５のいずれか１項に記載の携帯機器。
【請求項７】
前記カバーは樹脂成形品であり、二色成形によって前記突起が形成されている、請求項１から６のいずれか１項に記載の携帯機器。
【請求項８】
ケースと、前記ケースに設けられ内蔵物を収容する中空の収容部と、前記ケースに対し第１の方向にスライドすることにより前記収容部を覆い、前記第１の方向の反対方向である第２の方向にスライドすることにより前記収容部を開放するカバーとで構成されている携帯機器と内蔵物の接続方法であって、
前記収容部に前記内蔵物を挿入して、前記内蔵物の前記第１の方向における前端部に位置する内蔵物端子と前記収容部内の機器側端子とを対向させ、
前記カバーを前記ケースに対して前記第１の方向にスライドさせて閉じることで、前記カバーの前記収容部側の面に設けられた突起により前記内蔵物を前記収容部内で前記第１の方向に押し込んで、前記内蔵物側端子と前記機器側端子との接圧を強くする、携帯機器と内蔵物の接続方法。
【請求項９】
前記カバーが前記第１の方向にスライドして閉じる際に、前記カバーの前記突起を前記第２の方向に向かって湾曲させながら、前記収容部内の前記内蔵物の前記第１の方向における後端面に圧接させる、請求項８に記載の携帯機器と内蔵物の接続方法。
【請求項１０】
前記突起を、前記カバーの前記収容部側の面の、前記収容部内の前記内容物の直上の位置から立設させている、請求項９に記載の携帯機器と内蔵物の接続方法。
【請求項１１】
前記突起を前記カバーの前記収容部側の面の、前記収容部内の前記内蔵物の直上よりも前記第１の方向における後方の位置から立設させて、該突起をＪ字型に屈曲させることでその先端部を、前記収容部内の前記内蔵物の前記第１の方向における後端面に圧接させる、請求項８に記載の携帯機器と内蔵物の接続方法。
【請求項１２】
ケースと、前記ケースに設けられ内蔵物を収容する中空の収容部と、前記ケースに対し第１の方向にスライドすることにより前記収容部を覆い、前記第１の方向の反対方向である第２の方向にスライドすることにより前記収容部を開放するカバーとで構成されており、前記カバーの前記収容部側の面には、前記収容部内の内蔵物の前記第１の方向における後端面に当接可能な突起が設けられており、前記収容部内には弾性変形可能な機器側端子が設けられ、前記カバーが閉じられた状態では前記カバーに設けられたつめと前記ケースに設けられたつめとが係合する携帯機器のカバーを閉じる方法であって、
前記カバーを前記ケースに対して前記第１の方向にスライドさせて閉じ、前記カバーの前記突起が前記収容部に収容されている前記内蔵物を押し込むことで前記機器側端子を撓ませ、前記機器側端子の弾性力により前記カバーの前記突起を前記第２の方向に動かしながら前記内蔵物を押し返させて、前記カバーの有するつめと前記ケースの有するつめとの係合力を強くする、カバーを閉じる方法。
【請求項１３】
前記カバーが前記第１の方向にスライドして閉じた状態で、前記カバーの前記突起を前記第２の方向に向かって湾曲させながら、前記収容部内の前記内蔵物の前記第１の方向における後端面に圧接させる、請求項１２に記載のカバーを閉じる方法。
【請求項１４】
前記突起を、前記カバーの前記収容部側の面の、前記収容部内の前記内容物の直上の位置から立設させている、請求項１３に記載のカバーを閉じる方法。
【請求項１５】
前記突起を前記カバーの前記収容部側の面の、前記収容部内の前記内蔵物の直上よりも前記第１の方向における後方の位置から立設させて、該突起をＪ字型に屈曲させることでその先端部を、前記収容部内の前記内蔵物の前記第１の方向における後端面に圧接させる、請求項１２に記載のカバーを閉じる方法。
【発明の詳細な説明】
【技術分野】
【０００１】
本発明は携帯機器に関し、特に電池やメモリーカードなどの内蔵物を内部に固定して用いる携帯機器に関する。
【背景技術】
【０００２】
携帯電話機、デジタルカメラ、携帯音楽プレーヤー、携帯ゲーム機など、様々な携帯機器が普及している。このような携帯機器は、家庭用のコンセントなどから直接電力を供給することも可能であるが、通常は携帯機器の外部から電力供給をせず、電池や充電池などを携帯機器に内蔵し、そこから電力供給を行う。
【０００３】
携帯機器の一例として、携帯電話機の概略構成の断面図を図１２に示す。なお、以下の説明においては、本発明の実施形態を示す図１〜３を参照することにより、理解を容易にすることができる。
【０００４】
携帯電話機の外枠は主にフロントケース６とリアケース７で構成され、内部には、携帯電話機の制御全般を行う基板１０が内蔵されている。フロントケース６は電池収容部１１を有し、電池収容部１１内に内蔵物の一例である電池５を収容している。フロントケース６とリアケース７で囲まれた部分の内部で一端が基板１０に接合され、他端が電池収容部１１で電池５の端子に当接して電力を受ける機器側端子８が設けられている。
【０００５】
電池５が電池収容部１１に収容されている状態の電池収容部１１付近を拡大した断面図である図２を参照するとよりよく理解できるとおり、電池５は、電池収容部１１に収容されると、電池５の電池側端子１２と機器側端子８が当接し、電池５から基板１０へ電力が供給される。電池収容部１１は、フロントケース６に脱着可能な電池カバー１によって覆われる。具体的には、図１２に示されている状態が、第１の方向（図３の矢印の方向）に電池カバー１をスライド移動させ、電池カバーを閉じた状態である。電池カバー１が閉じられた状態で、電池カバー１は、電池カバーつめ３とリアケース７のリアケースつめ９とでの係合と、電池カバー１を開閉する際に電池カバー１がフロントケース６に沿って、第１の方向とその反対方向である第２の方向にスライドできるように溝が作られているガイド４とにより固定される。こうして電池カバー１とリアケース７とフロントケース６とによって携帯電話機の筐体が構成される。
【０００６】
機器側端子８は、少なくとも第１の方向および第２の方向に弾性変形が可能なように成形され、電池収容部１１に設けられている。そのため、電池収容部１１に電池５が収容されると、電池５により機器側端子８が第１の方向に押し込まれてしまう。機器側端子５は、電池５に押し込まれたことにより、電池５を第２の方向に押し返す弾性力ｆが生じる。この弾性力ｆにより、電池側端子１２と機器側端子８との接圧を高めようとしている。しかし、フロントケース６の電池収容部１１と電池５の周囲には、設計上の隙間が存在してしまっている。そのため、電池５は、電池５と電池収容部１１との隙間の分だけ弾性力ｆの方向（第２の方向）へ移動してしまうため、機器側端子８の弾性力が弱まり、機器側電池端子８と電池側端子１２の接圧が十分に確保されない場合がありうる。この場合、落下等の衝撃が携帯電話機に加わることで、機器側電池端子８と電池側端子１２の接続が瞬間的に切断されてしまう可能性がある。
【０００７】
図１３に電池カバーつめ３とリアケースつめ９との係合部付近を拡大した図を示す。電池カバーつめ３とリアケースつめ９の係合部では、部品の精度のばらつきにより、隙間１３が生じていることがわかる。この隙間１３がもとで電池カバーのがたつきが生じていた。また、電池カバー１は、電池カバー１の移動方向（第１の方向および第２の方向）に対して、垂直方向はガイド４により固定されるが、水平方向は固定されていない。そのため、携帯機器の落下衝撃などにより、比較的容易に電池カバー１が外れてしまうことがあった。
【０００８】
関連する技術として、電池収容部内に位置し、電池から電力を受ける端子（コネクタ）の反対側に、電池に対して近接または離隔する方向に移動可能な当接部である電池フックが設けられ、この電池フックにより電池をリアケースのコネクタ方向に押し込む方法がある。この方法では、電池とリアケースのコネクタの接圧を強くするため、電池を電池収容部から外れにくくし、電池とコネクタの接続を切断しにくくする作用がある（特許文献１）
【特許文献１】特開２００１−２８５４３１号公報
【発明の開示】
【発明が解決しようとする課題】
【０００９】
特許文献１で開示されている方法は、電池収容部に、可動部品である電池フックを設けなければならず、電池フックの分だけ、電池収容部を大きくしなければならない。さらに電池フックを移動させるための機構が必要である。その結果として、製造コストがかさみ、携帯機器自体も大型化してしまう。また、この方法では、上述した電池カバーのがたつきを解消できず、電池カバー自体の外れやすさを防ぐことができない。
【００１０】
本発明の目的は、上述した課題である、電池やメモリーカードなどの内蔵物を携帯機器から外れにくくするためには、コストがかさみ、携帯機器自体が大きくなってしまう、また、内蔵物を覆うカバーにがたつきが生じ、外れやすい、という問題を解決する携帯機器を提供することにある。
【課題を解決するための手段】
【００１１】
本発明は、ケースと、ケースに設けられ内蔵物を収容する中空の収容部と、ケースに対し第１の方向にスライドすることにより収容部を覆い、第１の方向の反対方向である第２の方向にスライドすることにより収容部を開放するカバーとで構成されており、カバーの収容部側の面には、収容部内の内蔵物の第１の方向における後端面に当接可能な突起が設けられている、携帯機器を提供する。
【発明の効果】
【００１２】
本発明によると、電池やメモリーカードなどの内蔵物を携帯機器から外れにくくし、かつ内蔵物を覆うカバーに生じるがたつきを抑制することできる。
【発明を実施するための最良の形態】
【００１３】
以下に、添付の図面に基づき、本発明の実施の形態を説明する。なお、同一の機能を有する構成には添付図面中、同一の番号を付与し、その説明を省略することがある。
【００１４】
携帯機器の一例として、携帯電話機の全体構造を説明する。携帯電話機の斜視図を図１に示す。携帯電話機の外枠となるフロントケース６とリアケース７があり、その２つで囲まれた部分の内部には、携帯電話機の制御全般を行う基板１０が内蔵されている。フロントケース６は、内蔵物の一例である電池５を収容する電池収容部１１を有する。さらには、フロントケース６とリアケース７で囲まれた部分の内部で一端が基板１０に接合され、電池収容部１１で電池５の電池側端子（内蔵物側端子）１２に当接して電力を受ける機器側端子８が設けられている。機器側端子８は、弾性変形が可能なように成形され、電池収容部１１に設けられている。電池５はフロントケース６の電池収容部１１に収容される。
【００１５】
図２に、電池５が電池収容部１１に収容されている状態の電池収容部１１付近を拡大した断面図を示す。電池５は、電池収容部１１に収容されると、電池５の電池側端子１２と機器側端子８が当接し、電池５から電池側端子１２と機器側端子８とを介して、基板１０へ電力が供給される。フロントケース６に設けられた電池収容部１１は、フロントケース６に脱着可能なカバーである電池カバー１（図３参照）によって覆われる。具体的には、電池カバー１を第１の方向（図３の矢印の方向）にスライドさせることで電池収容部１１を閉じることができ、第１の方向の反対方向である第２の方向にスライドさせることで、電池収容部１１を開放させることができる。図７に、電池カバー１を第１の方向にスライドさせ、電池カバー１を閉じた状態の携帯電話機の断面図を示す。電池カバー１が閉じられた状態においては、電池カバー１は、電池カバー１のリアケース７側に設けられた電池カバーつめ３とリアケース７の電池カバー１側に設けられたリアケースつめ９とでの係合と、フロントケース６に沿って電池カバー１を移動させるために設けられているガイド４により固定される。ガイド４は、フロントケース６に設けられた溝部と、電池カバー１に設けられた溝部内を移動可能な凸部とから構成されている。こうして電池カバー１とリアケース７とフロントケース６とによって携帯電話機の筐体が構成される。
【００１６】
図４は、本発明に係る携帯機器用の電池カバーの実施形態の一例を示す斜視図である。
【００１７】
電池カバー１は、電池カバー１の裏側、すなわちフロントケース６に設けられた電池収容部１１に収容される電池５を覆う側（電池収容部１１側）に凸状の突起２を有する。
【００１８】
図５は、電池カバー１と電池５の位置関係を示した断面図である。突起２のA面（第１の方向における前側の面）は、電池５の電池側端子１２と反対側に位置するB面（第１の方向における後端面）とが接触する面である。突起２は、電池５を電池収容部１１に収容し、電池カバーを閉じた状態で、電池５のB面より機器側端子８方向（図５では右側）の位置から立設している。すなわち、突起２は電池収容部１１内の電池５の直上の位置から立設している。そして突起２のＡ面は、第１の方向における後側に湾曲しながら電池５のＢ面に圧接している。このように突起２に圧接されることによって電池５は第１の方向に向けて付勢され、その結果、電池の第１の方向における前端面に設けられた電池側端子１２が、電池収容部１１内の機器側端子８に圧接して電気的接続が確保されている。
【００１９】
実際に電池カバー１を閉じる過程を、図６（ａ）〜（ｃ）に示す。図６（ａ）において、電池収容部１１内に電池５を収容した状態で、電池カバー１をフロントケース６上にのせる。次に電池カバー１が電池収容部１１から第１の方向における後方にはみだし、突起２が電池５に接触しない位置から図６（ｂ）の矢印の方向（第１の方向）に電池カバー１を移動させると、まず、電池カバー１の突起２のＡ面が電池のＢ面に接する。電池５を移動させるほどの力が加えられていない時点では、電池５は移動しない。しかし、電池カバー１の突起２と電池５のＢ面とが接している部分は動かないが、電池カバー１自体は、突起２を弾性的に湾曲させながら矢印の方向に動く。さらに電池カバー１を矢印の方向に押し込み、電池カバーつめ３とリアケースつめ９が係合固定した状態、つまり電池カバー１が固定された状態を図６（ｃ）に示している。電池５のＢ面は、電池カバー１の突起２によりさらに第１の方向に押し込まれ、電池５は第１の方向に移動している。
【００２０】
図７に電池５が収容され、電池カバー１が固定された状態の形態機器の断面図を示す。電池ケースつめ３とリアケースつめ９が係合されると、電池カバー１の突起２の弾性力により電池５が機器側端子８方向に付勢された状態が維持されるので、電池側端子１２と機器側端子８との接圧が強い状態が維持されるため、電池側端子１２と機器側端子８との接続が切断されにくくなる。
【００２１】
図８に、図７の電池カバー１の突起２付近であるＸ部の拡大図を示す。突起２により電池側端子１２が機器側端子８方向へ押し込まれたことにより、機器側端子８には電池側端子１２方向への弾性力が生じる。この弾性力が電池側端子１２を押し返す力Ｆとなり、電池５を介して突起２から電池カバー１全体に伝わる。この力Ｆは、電池カバーつめ３に伝わり、リアケースつめ７には反力Ｆ’が生じる。図９に示すように、電池カバーのつめ３とリアケースのつめ７はテンションがかかった状態になる。そのため、部品の寸法誤差等で生じていた電池カバー１のがたつきをなくすことができる。
【００２２】
本発明の電池カバー１の突起２の他の形状として、図１０（ａ）に示すように、電池カバー１と接していない部分が、電池５と接するようなＪ字型形状をしていてもよい。すなわち、この突起２は、電池カバー１の電池収容部１１側の面の、電池収容部１１内の電池５の直上よりも第１の方向の後側の位置から立接し、第１の方向に向かって屈曲して先端部が電池５のＢ面に接触している。この例においても電池カバー１を閉じていく過程を図１０（ａ）〜（ｃ）で説明すると、図１０（ａ）に示す状態から、図１０（ｂ）のように、電池カバー１の突起２と電池５が接触する。この状態から電池カバー１をさらに閉じていくと、Ｊ字型の突起２の電池カバー１に接していない部分が湾曲する。この湾曲により、電池カバー１の突起２には、バネのような弾性力が生じる。図１０（ｃ）で示すように、電池カバー１が閉じた状態になると、電池カバー１の突起２に生じる弾性力Ｆ’’が、電池５を押し返そうとするため、この弾性力Ｆ’’により電池５が機器側端子８方向に付勢された状態が維持され、電池側端子１２と機器側端子８との接圧が強い状態が維持される。また、突起２により電池側端子１２が機器側端子８方向へ押し込まれたことにより、機器側端子８には電池側端子１２方向への弾性力が生じる。この弾性力が電池側端子１２を押し返す力Ｆ’’’となり、電池５を介して突起２から電池カバー１全体に伝わる。この力F’’’は電池カバー１を介し、電池カバーつめ３に伝わり、上述したのと同様に、電池カバーつめ３とリアケースつめ９にテンションがかかった状態になり、結果として電池カバー１のがたつきがなくなる。このＪ字型形状は、電池カバー１の突起２に大きな弾性力が働くように設計しているため、前述した凸型形状の突起２よりも電池２をより強固に固定することができ、電池カバーつめ３とリアケースつめ９の係合も強固になるため、電池カバー１のがたつきもより抑えることができる。
【００２３】
本発明では、図１１で示すように、電池カバー１が樹脂成形品である場合、二色成形を行って突起部分２を弾性材により成形することで、電池カバー１の突起２を任意の弾性材料で構成できるため、電池５をどの程度強固に電池収容部１１に固定するのか、電池カバーつめ３とリアケースつめ７の係合の強さをどの程度にするのかを、任意に変更することができる。
【００２４】
また、電池カバー１の突起２の形状や数も限定されるものではなく、電池５のＢ面に沿うような、長い板状であってもかまわない。
【００２５】
以上の説明では、携帯機器の一例として携帯電話機を例にしたが、デジタルカメラのような小型電子機器であってもよく、また、内蔵物として、電池ではなく、メモリーカードのような記憶媒体などを固定するのにも応用することができる。
【図面の簡単な説明】
【００２６】
【図１】電池を電池収容部に組み込むところを示した携帯電話機の斜視図である。
【図２】電池を携帯電話機に収容したときの携帯電話機の断面図である。
【図３】携帯電話機の電池カバーを閉じる様子を示した斜視図である。
【図４】本発明に係る実施形態の携帯電話機の電池カバーの一例を示した斜視図である。
【図５】本発明に係る実施形態の携帯電話機の電池カバーの突起と携帯電話機に収容された電池の位置関係を示した断面図である。
【図６】図４の電池カバーを閉じていったときの突起と電池の様子を示した断面図である。
【図７】図４の電池カバーを閉じたときの携帯電話機の断面図である。
【図８】図７のＸ部を拡大した図である。
【図９】図７のＹ部を拡大した図である。
【図１０】本発明に係る実施形態の他の一例であり、突起をＪ字型にしたときの電池カバーを閉じていったときの突起と電池の様子を示した断面図である。
【図１１】本発明に係る実施形態の他の一例であり、カバーを二色成形により成形したものを示す断面図である。
【図１２】携帯電話機の電池カバーを閉じたときの携帯電話機の断面図である。
【図１３】図１２のＣ部を拡大した図である。
【符号の説明】
【００２７】
１  電池カバー（カバー）
２  突起
３  電池カバーつめ（カバーつめ）
４  ガイド
５  電池（内蔵物）
６  フロントケース
７  リアケース
８  機器側端子
９  リアケースつめ
１０基板
１１電池収容部（収容部）
１２電池側端子（内蔵物側端子）
１３隙間
Ｆ  弾性力
Ｆ’反力
Ｆ’’弾性力
Ｆ’’’押し返す力
ｆ  弾性力
【図１】
2010068300.tif 000003
【図２】
2010068300.tif 000004
【図３】
2010068300.tif 000005
【図４】
2010068300.tif 000006
【図５】
2010068300.tif 000007
【図６】
2010068300.tif 000008
【図７】
2010068300.tif 000009
【図８】
2010068300.tif 000010
【図９】
2010068300.tif 000011
【図１０】
2010068300.tif 000012
【図１１】
2010068300.tif 000013
【図１２】
2010068300.tif 000014
【図１３】
2010068300.tif 000015